(57)【要約】【課題】ＨＳＶ画像データに対して自由度の高い補正を行うことができる画像処理装置、集積回路装置及び電子機器を提供すること。【解決手段】色相値Ｈｉｎが複数の色相領域のうちのどの色相領域に対応するかを判定する色相領域判定部５０と、色相値Ｈｉｎを用いて求めた補正値ΔＨにより色相値Ｈｉｎを補正する変換部６０とを含む。変換部６０は、色相値Ｈｉｎと第１の基準値ＨＴとの差分を用いて第１の差分値Ｄ１を求め、第２の基準値Ａと差分値Ｄ１との差分を用いて第２の差分値Ｄ２を求める。そして、変換部６０は、差分値Ｄ２を用いて補正値ΔＨを求め、補正値ΔＨにより色相値Ｈｉｎを補正する。【選択図】      図１
2010021990.tif 000002
【特許請求の範囲】
【請求項１】
色相値が複数の色相領域のうちのどの色相領域に対応するかを判定する色相領域判定部と、
前記色相値を用いて補正値を求め、前記補正値により前記色相値を補正する変換部と、
を含み、
前記変換部は、
前記色相値と第１の基準値との差分を用いて第１の差分値を求め、第２の基準値と前記第１の差分値との差分を用いて第２の差分値を求め、前記第２の差分値を用いて前記補正値を求め、前記補正値により前記色相値を補正することを特徴とする画像処理装置。
【請求項２】
色相値が複数の色相領域のうちのどの色相領域に対応するかを判定する色相領域判定部と、
前記色相値を用いて補正値を求め、前記補正値により彩度値を補正する変換部と、
を含み、
前記変換部は、
前記色相値と第１の基準値との差分を用いて第１の差分値を求め、第２の基準値と前記第１の差分値との差分を用いて第２の差分値を求め、前記第２の差分値を用いて前記補正値を求め、前記補正値により彩度値を補正することを特徴とする画像処理装置。
【請求項３】
請求項１又は２において、
前記変換部は、
前記色相値と前記第１の基準値との差分の絶対値である前記第１の差分値を求め、前記第２の基準値と前記第１の差分値との差分を用いて前記第２の差分値を求め、前記第２の差分値を用いて前記補正値を求めることを特徴とする画像処理装置。
【請求項４】
請求項３において、
前記変換部は、
前記第２の基準値と前記第１の差分値との差分の絶対値である前記第２の差分値を用いて前記補正値を求めることを特徴とする画像処理装置。
【請求項５】
請求項１乃至４のいずれかにおいて、
前記変換部は、
前記第２の差分値と補正係数を乗算処理して前記補正値を求めることを特徴とする画像処理装置。
【請求項６】
請求項５において、
前記第１の基準値と前記第２の基準値と前記補正係数を設定する係数レジスタを含み、
前記変換部は、
前記色相領域判定部からの判定結果に基づいて、前記係数レジスタから前記第１の基準値と前記第２の基準値と前記補正係数を読み出すことを特徴とする画像処理装置。
【請求項７】
請求項１乃至４のいずれかにおいて、
前記変換部は、
彩度値を用いて乗算係数を求め、前記第２の差分値と前記乗算係数を乗算処理して前記補正値を求めることを特徴とする画像処理装置。
【請求項８】
請求項７において、
前記変換部は、
前記彩度値と彩度係数を乗算処理して前記乗算係数を求め、前記第２の差分値と前記乗算係数を乗算処理して前記補正値を求めることを特徴とする画像処理装置。
【請求項９】
請求項８において、
前記変換部は、
前記彩度値と前記彩度係数を乗算処理した結果と補正係数を加算処理して前記乗算係数を求め、前記第２の差分値と前記乗算係数を乗算処理して前記補正値を求めることを特徴とする画像処理装置。
【請求項１０】
請求項９において、
前記第１の基準値と前記第２の基準値と前記補正係数と前記彩度係数を設定する係数レジスタを含み、
前記変換部は、
前記色相領域判定部からの判定結果に基づいて、前記係数レジスタから前記第１の基準値と前記第２の基準値と前記補正係数と前記彩度係数を読み出すことを特徴とする画像処理装置。
【請求項１１】
請求項７において、
前記変換部は、
彩度値を変換処理して変換彩度値を出力する彩度変換処理部を有し、
前記変換彩度値を用いて乗算係数を求め、前記第２の差分値と前記乗算係数を乗算処理して前記補正値を求めることを特徴とする画像処理装置。
【請求項１２】
請求項１１において、
前記彩度変換処理部は、
彩度値をルックアップテーブルにより変換処理して前記変換彩度値を出力することを特徴とする画像処理装置。
【請求項１３】
請求項１１又は１２において、
前記変換部は、
前記変換彩度値と彩度係数を乗算処理して前記乗算係数を求め、前記第２の差分値と前記乗算係数を乗算処理して前記補正値を求めることを特徴とする画像処理装置。
【請求項１４】
請求項１３において、
前記変換部は、
前記変換彩度値と前記彩度係数を乗算処理した結果と補正係数を加算処理して前記乗算係数を求め、前記第２の差分値と前記乗算係数を乗算処理して前記補正値を求めることを特徴とする画像処理装置。
【請求項１５】
請求項１乃至１４のいずれかに記載の画像処理装置を含むことを特徴とする集積回路装置。
【請求項１６】
請求項１５に記載の集積回路装置を含むことを特徴とする電子機器。
【発明の詳細な説明】
【技術分野】
【０００１】
本発明は、画像処理装置、集積回路装置及び電子機器等に関する。
【背景技術】
【０００２】
画像処理においては、様々な形式の色空間が用いられている。その１つに、ＨＳＶ形式（色相、彩度、明度）の色空間での画像処理がある。例えば、人間の色覚が肌色や空色などの記憶色に対して特に敏感であることから、ＨＳＶ形式の色空間において記憶色を補正することで人間にとって自然な発色の画像表示を得ることができる。
【０００３】
ところで、ＨＳＶ形式の色空間での画像処理においては、補正された色と補正されていない色の境界で大きな色の差が生じ、境界部分が目立ってしまうという課題があった。この課題に対し従来は、補正する色相領域の境界に近づくにつれて補正値をゼロに漸近させることで大きな色の差が生じないようにしていた（例えば、特許文献１）。
【０００４】
しかしながら、従来の対策では補正する色相領域の境界で補正値がゼロとなるため、補正の自由度が限られるという課題があった。
【先行技術文献】
【特許文献】
【０００５】
【特許文献１】特開２００７−４２０３３号公報
【発明の概要】
【発明が解決しようとする課題】
【０００６】
本発明の幾つかの態様によれば、ＨＳＶ画像データに対して自由度の高い補正を行うことができる画像処理装置、集積回路装置及び電子機器を提供できる。
【課題を解決するための手段】
【０００７】
本発明は、色相値が複数の色相領域のうちのどの色相領域に対応するかを判定する色相領域判定部と、前記色相値を用いて補正値を求め、前記補正値により前記色相値を補正する変換部と、を含み、前記変換部は、前記色相値と第１の基準値との差分を用いて第１の差分値を求め、第２の基準値と前記第１の差分値との差分を用いて第２の差分値を求め、前記第２の差分値を用いて前記補正値を求め、前記補正値により前記色相値を補正する画像処理装置に関係する。
【０００８】
本発明では、複数の色相領域に対して色相値の補正を行う。これにより、所望の色相領域に対して色相値の補正を行うことができる。また、本発明では、第１の基準値と第２の基準値を用いて補正値を求める。これにより、色相領域の境界で補正値を任意の値にすることができる。さらに、複数の色相領域を隣接して設けた場合には、色相領域の境界での補正値を隣接する色相領域で等しくできる。これにより、色相領域の境界で補正値をゼロにすることなく色相領域の境界で色の急激な差が生じてしまうことを防止できる。このように、本発明によれば色の急激な差を生じさせることなく自由度の高い補正を実現できる。
【０００９】
また本発明は、色相値が複数の色相領域のうちのどの色相領域に対応するかを判定する色相領域判定部と、前記色相値を用いて補正値を求め、前記補正値により彩度値を補正する変換部と、を含み、前記変換部は、前記色相値と第１の基準値との差分を用いて第１の差分値を求め、第２の基準値と前記第１の差分値との差分を用いて第２の差分値を求め、前記第２の差分値を用いて前記補正値を求め、前記補正値により彩度値を補正する画像処理装置に関係する。
【００１０】
本発明では、複数の色相領域に対して彩度値の補正を行う。これにより、所望の色相領域に対して彩度値の補正を行うことができる。また、上記色相値を補正する発明と同様に、色相領域の境界で補正値を任意の値にすることができるため、色相領域の境界での補正値を隣接する色相領域で等しくできる。これにより、色の急激な差を生じさせることなく自由度の高い補正を実現できる。
【００１１】
また本発明では、前記変換部は、前記色相値と前記第１の基準値との差分の絶対値である前記第１の差分値を求め、第２の基準値と前記第１の差分値との差分を用いて前記第２の差分値を求め、前記第２の差分値を用いて前記補正値を求めてもよい。
【００１２】
本発明によれば、色相値と第１の基準値との差分の絶対値を用いて補正値を求める。これにより、第１の基準値で折れ曲がった直線で表される補正値を求めることができる。このように、本発明によれば直線を組み合わせた補正値を実現できる。
【００１３】
また本発明では、前記変換部は、前記第２の基準値と前記第１の差分値との差分の絶対値である前記第２の差分値を用いて前記補正値を求めてもよい。
【００１４】
本発明によれば、第２の基準値を調整することで、色相領域内で複数回折れ曲がった直線で表される補正値を求めることもできる。このように、簡単な一次式の補正値で複雑な補正を実現できる。
【００１５】
また本発明では、前記変換部は、前記第２の差分値と補正係数を乗算処理して前記補正値を求めてもよい。
【００１６】
本発明によれば、補正係数を調整することにより補正値の大きさ及び正負を調整することができる。これにより、補正の方向と補正値の特性線の傾きを調整できる。例えば、隣接した色相領域の境界において、補正値の特性線の傾きを変化させることもできる。このように、さらに自由度の高い補正を実現できる。
【００１７】
また本発明では、前記第１の基準値と前記第２の基準値と前記補正係数を設定する係数レジスタを含み、前記変換部は、前記色相領域判定部からの判定結果に基づいて、前記係数レジスタから前記第１の基準値と前記第２の基準値と前記補正係数を読み出してもよい。
【００１８】
本発明によれば、複数の色相領域の各色相領域に対して独立して第１の基準値、第２の基準値及び補正係数を設定できる。そのため、色相領域判定部の判定結果に基づいて各色相領域に対応する補正値を求めることができる。これにより、複数の色相領域を独立の補正値で補正できる。
【００１９】
また本発明では、前記変換部は、彩度値を用いて乗算係数を求め、前記第２の差分値と前記乗算係数を乗算処理して前記補正値を求めてもよい。
【００２０】
本発明によれば、彩度値に依存した補正値を求めることができる。これにより、複数の色相領域において色相値だけでなく彩度値に応じて補正することができる。
【００２１】
また本発明では、前記変換部は、前記彩度値と彩度係数を乗算処理して前記乗算係数を求め、前記第２の差分値と前記乗算係数を乗算処理して前記補正値を求めてもよい。
【００２２】
本発明によれば、彩度係数を調整することで補正値の大きさ及び正負を調整することができる。これにより、補正の方向及び補正値の変化率を調整できる。
【００２３】
また本発明では、前記変換部は、前記彩度値と前記彩度係数を乗算処理した結果と補正係数を加算処理して前記乗算係数を求め、前記第２の差分値と前記乗算係数を乗算処理して前記補正値を求めてもよい。
【００２４】
本発明によれば、彩度値の一次式に依存する補正値を求めることができる。これにより、正又は負の一方向の補正値だけでなく、彩度値に応じて補正値の正負を変えることもできる。
【００２５】
また本発明では、前記第１の基準値と前記第２の基準値と前記補正係数と前記彩度係数を設定する係数レジスタを含み、前記変換部は、前記色相領域判定部からの判定結果に基づいて、前記係数レジスタから前記第１の基準値と前記第２の基準値と前記補正係数と前記彩度係数を読み出してもよい。
【００２６】
本発明によれば、複数の色相領域の各色相領域に対して独立して第１の基準値、第２の基準値、補正係数及び彩度係数を設定できる。そのため、色相領域判定部の判定結果に基づいて各色相領域に対応する補正値を求めることができる。これにより、複数の色相領域を独立の補正値で補正できる。
【００２７】
また本発明では、前記変換部は、彩度値を変換処理して変換彩度値を出力する彩度変換処理部を有し、前記変換彩度値を用いて乗算係数を求め、前記第２の差分値と前記乗算係数を乗算処理して前記補正値を求めてもよい。
【００２８】
本発明によれば、変換彩度値に依存する補正値を求めることができる。これにより、彩度値に対して任意の依存性を持つ補正を実現できる。例えば、彩度値の一部範囲で補正強度を強くすることもできる。このように、本発明によればさらに自由度の高い補正を実現できる。
【００２９】
また本発明では、前記彩度変換処理部は、彩度値をルックアップテーブルにより変換処理して前記変換彩度値を出力してもよい。
【００３０】
本発明によれば、ルックアップテーブルにより彩度値の変換処理を実現できる。これにより、彩度値と変換彩度値の任意の変換を実現できる。
【００３１】
また本発明では、前記変換部は、前記変換彩度値と彩度係数を乗算処理して前記乗算係数を求め、前記第２の差分値と前記乗算係数を乗算処理して前記補正値を求めてもよい。
【００３２】
本発明によれば、彩度係数を調整することで補正値の大きさ及び正負を調整することができる。これにより、補正の方向及び補正値の変化率を調整できる。
【００３３】
また本発明では、前記変換部は、前記変換彩度値と前記彩度係数を乗算処理した結果と補正係数を加算処理して前記乗算係数を求め、前記第２の差分値と前記乗算係数を乗算処理して前記補正値を求めてもよい。
【００３４】
これにより、変換彩度値に依存する補正と色相値にのみ依存する補正を加算して行うことができる。
【００３５】
また本発明は、上記のいずれかに記載の画像処理装置を含む集積回路装置に関係する。
【００３６】
また本発明は、上記に記載の集積回路装置を含む電子機器に関係する。
【図面の簡単な説明】
【００３７】
【図１】本実施形態の構成例
【図２】図２（Ａ）、図２（Ｂ）は、画像補正の説明図
【図３】図３（Ａ）〜図３（Ｄ）は、補正値の特性線の例
【図４】複数の色相領域における補正値の特性線の例
【図５】変換彩度値を用いた補正の例
【図６】本実施形態の変形例
【図７】図７（Ａ）、図７（Ｂ）は、本実施形態の変形例による補正の例
【図８】本実施形態の詳細な構成例
【図９】電子機器の構成例
【発明を実施するための形態】
【００３８】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００３９】
１．色相補正、彩度補正
１．１．画像処理装置の構成例
本実施形態の画像処理装置は、色相値（Ｈ）、彩度値（Ｓ）、明度値（Ｖ）を成分とするＨＳＶ画像データ（ＨＳＶ形式の画像データ）に対して画像補正（画像処理）を行う。本実施形態の画像補正手法によれば、２つの基準となる値（補正基準ターゲット値ＨＴ、補正基準差分値Ａ）を用いた一次式によって、自由度の高い補正値を実現することができる。以下、具体的に説明する。
【００４０】
図１に本実施形態の画像処理装置の構成例を示す。図１に示す画像処理装置は、色相領域判定部５０と変換部６０（色補正部）を含み、画像処理装置には色相値Ｈｉｎ，彩度値Ｓｉｎ，明度値Ｖｉｎから成るＨＳＶ画像データが入力される。色相領域判定部５０は、色相値Ｈｉｎが、設定された色相領域（色相範囲）に対応する色相値であるかを判定し、判定信号ＪＳを出力する。変換部６０は、判定信号ＪＳを受けて補正値ΔＨを求める。そして、変換部６０は、補正値ΔＨによって色相値Ｈｉｎを補正し、補正後の色相値Ｈｏｕｔを出力する。
【００４１】
図２（Ａ）を用いて本実施形態の画像補正手法について説明する。ここで、図２（Ａ）に示す円は、ＨＳＶ形式の色空間のうち色相及び彩度についての色空間を表す。具体的には、色相を円の円周方向に表し、彩度を円の半径方向に表す。
【００４２】
図２（Ａ）に示すように、例えば色相領域ＣＲとして色相値ＲＬ〜ＲＨの範囲が設定される。この場合、色相領域判定部５０は、色相値Ｈｉｎが色相領域ＣＲに入る値であるか否かを判定し、対応する判定信号ＪＳを出力する。具体的には、色相値Ｈｉｎが色相領域ＣＲに入る場合には色相領域ＣＲに対応する判定信号ＪＳを出力し、色相値Ｈｉｎが色相領域ＣＲに入らない場合には色相領域ＣＲ以外の領域に対応する判定信号ＪＳを出力する。変換部６０は、判定信号ＪＳが色相領域ＣＲに対応する場合には、色相領域ＣＲに対応する補正値ΔＨを求める。具体的には、補正値ΔＨは色相値Ｈｉｎ又は彩度値Ｓｉｎの関数として求められる。そして変換部６０は、ＨＳＶ画像データ（Ｈｉｎ，Ｓｉｎ，Ｖｉｎ）を（Ｈｉｎ＋ΔＨ，Ｓｉｎ，Ｖｉｎ）に補正し、出力ＨＳＶ画像データ（Ｈｏｕｔ，Ｓｏｕｔ，Ｖｏｕｔ）として出力する。この補正値ΔＨによる補正は、図２（Ａ）の円上において、画像データ（Ｈｉｎ，Ｓｉｎ，Ｖｉｎ）に対応する点を円周方向において移動させることに相当する。
【００４３】
なお、変換部６０は、判定信号ＪＳを受けて補正値ΔＳを求め、彩度値Ｓｉｎを補正することもできる。図２（Ｂ）に示すように、変換部６０は、判定信号ＪＳが色相領域ＣＲに対応する場合には、色相領域ＣＲに対応する補正値ΔＳを求める。補正値ΔＳは色相値Ｈｉｎ又は彩度値Ｓｉｎの関数として求められる。そして変換部６０は、画像データ（Ｈｉｎ，Ｓｉｎ，Ｖｉｎ）を画像データ（Ｈｉｎ，Ｓｉｎ＋ΔＳ，Ｖｉｎ）に補正し、画像データ（Ｈｏｕｔ，Ｓｏｕｔ，Ｖｏｕｔ）として出力する。この補正値ΔＳによる補正は、図２（Ｂ）の円上において画像データ（Ｈｉｎ，Ｓｉｎ，Ｖｉｎ）に対応する点を円の半径方向において移動させることに相当する。
【００４４】
１．２．補正値
１．２．１．色相値の関数である補正値の演算手法の具体例
次に、補正値ΔＨの演算手法について具体例を用いて説明する。なお、補正値ΔＳの演算手法についても同様の具体例を適用できるため、以下では補正値ΔＨの演算手法の具体例について説明する。
【００４５】
下式（１）に、補正値ΔＨの演算手法の第１の具体例を示す。下式（１）に示すように、変換部６０は、入力された色相値Ｈｉｎと補正基準ターゲット値ＨＴの差分を求め、その絶対値を第１の差分値Ｄ１（第１の差分絶対値）として求める。次に変換部６０は、補正基準差分値Ａと差分値Ｄ１の差分を求め、その絶対値を第２の差分値Ｄ２（第２の差分絶対値）として求める。第１の具体例においては、変換部６０は差分値Ｄ２を補正値ΔＨとして用いる。
【００４６】
【数１】
2010021990.tif 000003
【００４７】
ここで、補正基準ターゲット値ＨＴは、第１の基準値である。すなわち、色相値Ｈｉｎを用いた差分処理（差分値Ｄ１を求める処理）の基準値であり、色相領域ＣＲの範囲内で設定される任意の色相値である。補正基準差分値Ａは、第２の基準値である。すなわち、差分値Ｄ１を用いた差分処理（差分値Ｄ２を求める処理）の基準値であり、色相領域ＣＲに関わらず任意の色相値が設定される。また、色相領域ＣＲは、図２（Ａ）、図２（Ｂ）に示すように補正基準ターゲット値ＨＴを基準として低色相側領域幅ＨＯＬ，高色相側領域幅ＨＯＨによって設定される。具体的には、色相領域ＣＲは、色相値ＲＬ＝ＨＴ−ＨＯＬ，ＲＨ＝ＨＴ＋ＨＯＨによって設定される。これらの値ＨＴ、Ａ、ＨＯＬ、ＨＯＨは、例えば後述する図８に示す係数レジスタ３００からのレジスタ値によって設定される。
【００４８】
ところで、ＨＳＶ形式の色空間において特定の領域に補正を行うと領域の境界で色の急激な差が生じるため、表示画像上でその色の差が擬似的な輪郭として見えるという課題があった。
【００４９】
例えば比較例として、領域の境界においてゼロとなる補正値を用いて補正を行う手法が考えられる。この比較例によれば、補正値を徐々にゼロに近づけることで領域の境界に近づくに従って補正による色の変化が小さくなり、領域の境界での色の急激な差を防止することができる。
【００５０】
しかしながら、この比較例では領域の境界において補正値を必ずゼロにする必要があるため、補正値の設定範囲が制限されるという課題があった。
【００５１】
この点、上記第１の具体例では、補正基準差分値Ａを用いて補正値ΔＨを求める。これにより、色相領域ＣＲの境界で補正値ΔＨを任意の値にすることができる。また、差分の絶対値を用いることで簡単な一次式にも関わらず複雑な補正値ΔＨを実現することができる。さらに、後述のように複数の色相領域を設けることもでき、領域の境界で補正値ΔＨの特性線をなめらかに接続することで境界での色の急激な差を防止することができる。このように、本実施形態によれば自由度の高い補正を行うことができる。
【００５２】
図３（Ａ）〜図３（Ｄ）を用いてさらに詳細に説明する。図３（Ａ）〜図３（Ｄ）は、色相範囲ＣＲにおける補正値ΔＨの例である。
【００５３】
図３（Ａ）に示すようにＡ＝ＨＯＬ＝ＨＯＨに設定した場合、Ｈｉｎ＝ＨＴで補正値ΔＨが最も大きく、色相領域ＣＲの境界（色相値ＲＬ及びＲＨ）で補正値ΔＨ＝０にすることができる。
【００５４】
次に図３（Ｂ）に示すようにＡ＝０に設定した場合、Ｈｉｎ＝ＨＴで補正値ΔＨ＝０とし、色相領域ＣＲの境界でΔＨ＝０でない補正値ΔＨにすることもできる。
【００５５】
また図３（Ｃ）に示すようにＡ＞ＨＯＬかつＡ＞ＨＯＨに設定した場合、Ｈｉｎ＝ＨＴで補正値ΔＨが最も大きく色相領域ＣＲの境界でΔＨ＝０でない補正値にすることができる。
【００５６】
さらに、図３（Ｄ）に示すように０＜Ａ＜ＨＯＬかつ０＜Ａ＜ＨＯＨに設定した場合、色相領域ＣＲ内で補正値ΔＨの特性線の折れ曲がりを複数設けることができる。
【００５７】
このように、補正基準差分値Ａの値を調整することで色相領域ＣＲの境界において任意の補正値ΔＨを実現できる。また、補正値ΔＨは色相値Ｈｉｎの一次式であるため直線で構成されるが、差分値Ｄ１，Ｄ２の絶対値を用いることで複数の直線で構成することができる。
【００５８】
ここで、下式（２）に示す補正値ΔＨの演算手法の第２の具体例のように、変換部６０は差分値Ｄ２と係数Ｃ（補正係数）を乗算して補正値ΔＨを求めることもできる。係数Ｃは正又は負の数である。
【００５９】
【数２】
2010021990.tif 000004
【００６０】
このように、係数Ｃを差分値Ｄ２に乗算することで、補正値ΔＨを正の値又は負の値に設定することができ、補正値ΔＨの大きさを調整することができる。これにより、補正の方向及び、色相値Ｈｉｎに対する補正値ΔＨの変化の傾きを調整できる。第２の具体例によれば、さらに幅広い補正値ΔＨの調整を実現できる。
【００６１】
また、下式（３）に示す補正値ΔＨの演算手法の第３の具体例のように、変換部６０は差分値Ｄ２と係数Ｃを乗算した結果にオフセットＤを加算して補正値ΔＨを求めることもできる。オフセットＤは正又は負の数である。
【００６２】
【数３】
2010021990.tif 000005
【００６３】
これにより、色相領域ＣＲ全体を一様に補正することができる。具体的には、オフセットＤを調整することで、色相領域ＣＲ全体を同一の方向に同一の補正量で色の補正を行うことができる。
【００６４】
さらに、下式（４），（５）に示す補正値ΔＨの演算手法の第４の具体例のように、変換部６０は補正値ΔＨＬ又はΔＨＨを補正値ΔＨとして求めることもできる。すなわち、変換部６０は、色相値Ｈｉｎが色相領域ＣＲのうちの低色相側領域（色相値ＲＬ〜補正基準ターゲット値ＨＴの範囲）に対応する場合には補正値ΔＨＬを補正値ΔＨとして求めることができる。また、色相値Ｈｉｎが色相領域ＣＲのうちの高色相側領域（補正基準ターゲット値ＨＴ〜色相値ＲＨの範囲）に対応する場合には補正値ΔＨＨを補正値ΔＨとして求めることができる。ここで、補正基準差分値ＡＬとＡＨは独立した値である。同様に、係数ＣＬとＣＨ（補正係数）、オフセットＤＬとＤＨもそれぞれ独立した値である。
【００６５】
【数４】
2010021990.tif 000006
【００６６】
【数５】
2010021990.tif 000007
【００６７】
なお、色相領域判定部５０は、入力された色相値Ｈｉｎが低色相側領域に入る値であるか、高色相側領域に入る値であるかを判定して、対応する判定信号ＪＳを出力する。
【００６８】
第４の具体例によれば、補正値ΔＨＬ，ΔＨＨを用いて補正することができる。これにより、低色相側領域と高色相側領域で独立して補正値ΔＨを調整することができる。このように、第４の具体例によれば自由度の高い補正を実現できる。
【００６９】
ここで、本実施形態では複数の色相領域を設けることもできる。具体的には、本実施形態では色相領域１〜色相領域ｋ（第１〜第ｋの色相領域。ｋは自然数）を設定できる。そして、変換部６０は色相領域１〜色相領域ｋに対応する補正値ΔＨ１〜補正値ΔＨｋを求めることができる。
【００７０】
より具体的には、下式（６），（７）に補正値ΔＨの演算手法の第５の具体例を示す。下式（６）に示すように、変換部６０は、色相値Ｈｉｎが色相領域ｎ（ｎは、ｋ以下の自然数）のうちの低色相側領域ｎ（第ｎの低色相側領域）に対応する場合、補正値ΔＨＬｎを補正値ΔＨとして求める。また、下式（７）に示すように、色相値Ｈｉｎが色相領域ｎのうちの高色相側領域ｎ（第ｎの高色相側領域）に対応する場合、補正値ΔＨＨｎを補正値ΔＨとして求める。ここで、補正基準差分値ＡＬ１〜ＡＬｋ，ＡＨ１〜ＡＨｋは独立した値である。同様に、補正基準ターゲット値ＨＴ１〜ＨＴｋ、係数ＣＬ１〜ＣＬｋ，ＣＨ１〜ＣＨｋ、オフセットＤＬ１〜ＤＬｋ，ＤＨ１〜ＤＨｋもそれぞれ独立した値である。
【００７１】
【数６】
2010021990.tif 000008
【００７２】
【数７】
2010021990.tif 000009
【００７３】
なお、色相領域判定部５０は、入力された色相値Ｈｉｎが低色相側領域ｎに入る値であるか及び高色相側領域ｎに入る値であるかを判定して、対応する判定信号ＪＳを出力する。
【００７４】
ところで、前述の比較例においては、擬似的な輪郭の発生を防止するために色相領域の境界において補正値をゼロにしていた。そのため、補正の調整幅が制限されるという課題があった。
【００７５】
この点、第５の具体例によれば、色相領域の境界において補正値ΔＨの特性線を任意の値で接続することができる。また、複数の色相領域で独立に補正値ΔＨを調整することができる。図４を用いて説明する。図４に示すのは、複数の色相領域として色相領域１〜色相領域４（ｋ＝４）を隣接して設けた場合の補正値ΔＨの例である。
【００７６】
例えば、図４のＬＡ１に示すように、補正基準差分値Ａ等を調整することで色相領域１の境界において補正値ΔＨをゼロ以外の値にすることができる。またＬＡ２に示すようにオフセットＤ等を調整することで補正値ΔＨを一定の値にすることもできる。そして、ＬＡ３に示すように、補正基準差分値Ａ等を調整することで色相領域の境界以外でも補正値ΔＨをゼロにすることもできる。ＬＡ４、ＬＡ５に示すように、係数Ｃを調整することで補正値ΔＨを正の値又は負の値にすることもできる。
【００７７】
このように、複数の色相領域で独立に補正値ΔＨを調整することができる。そのため、簡単な直線の組み合わせのみで自由度の高い補正を実現できる。
【００７８】
さらに、図４のＬＡ６に示すように、隣接する色相領域１と色相領域２の境界において、ＬＡ１及びＬＡ２に示す補正値ΔＨを等しい値に調整することもできる。これにより、直線の傾きを途中で変化させることもできる。
【００７９】
このように、本実施形態によれば色相領域の境界で補正値の特性線を任意の値で接続できる。そのため、色相領域の境界での急激な色の変化を防止することができる。これにより、急激な色の変化で生じる擬似的な輪郭の発生を防止するとともに、自由度の高い補正を実現できる。さらに、簡単な一次式を用いて補正するため、２次式等を用いた場合に比べて回路規模を増大させることなく自由度の高い補正を実現できる。
【００８０】
なお、図４では色相領域が隣接する場合を説明したが、本実施形態は複数の色相領域が離れている場合にも適用できる。
【００８１】
１．２．２．彩度値の関数である補正値の演算手法の具体例
本実施形態では、入力された彩度値Ｓｉｎを用いて補正値ΔＨを求めることもできる。これにより、色相値Ｈｉｎだけでなく彩度値Ｓｉｎにも依存した画像補正を行うことができるため、第１〜第５の具体例と比べてさらに画像データの画質を向上することができる。
【００８２】
下式（８）に補正値ΔＨの演算手法の第６の具体例を示す。下式（８）に示すように、変換部６０は彩度値Ｓｉｎと係数Ｂ（彩度係数）を乗算して乗算係数ＭＣ（＝Ｂ＊Ｓｉｎ）を求めることができる。そして、変換部６０は差分値Ｄ２に乗算係数ＭＣを乗算して補正値ΔＨを求めることができる。ここで、係数Ｂは正又は負の数である。
【００８３】
【数８】
2010021990.tif 000010
【００８４】
これにより、彩度値Ｓｉｎに依存した補正を実現できる。また、係数Ｂによって補正値の符号と大きさを調整することができる。
【００８５】
下式（９）に示す補正値ΔＨの演算手法の第７の具体例のように、変換部６０は彩度値Ｓｉｎと係数Ｂを乗算した結果に係数Ｃ（補正係数）を加算して乗算係数ＭＣ（＝Ｂ＊Ｓｉｎ＋Ｃ）を求めることもできる。
【００８６】
【数９】
2010021990.tif 000011
【００８７】
第７の具体例によれば、彩度値Ｓｉｎに依存する補正と第１〜第５の具体例で説明した彩度値Ｓｉｎに依存しない補正を足し合わせることができる。すなわち、係数Ｂと係数Ｃを調整することで、補正値Δを彩度値Ｓｉｎの任意の一次式で調整することができる。これにより、彩度値に依存する補正値と色相値にのみ依存する補正値を直感的に組み合わせて補正値を決定できる。
【００８８】
また、下式（１０），（１１）に示す補正値ΔＨの演算手法の第８の具体例ように、変換部６０は、彩度値Ｓｉｎを変換処理した変換彩度値ＬＵＴ［Ｓｉｎ］を用いて補正値ΔＨを求めることもできる。この変換処理は、任意の変換（変換式）に従って彩度値Ｓｉｎを変換する処理である。
【００８９】
【数１０】
2010021990.tif 000012
【００９０】
【数１１】
2010021990.tif 000013
【００９１】
図５に、変換彩度値ＬＵＴ［Ｓｉｎ］を用いた補正の例を模式的に示す。具体的には、線ＬＢ１上の点（Ｈｉｎ，Ｓｉｎ）が、補正値ΔＨによって線ＬＢ２上の点（Ｈｉｎ＋ΔＨ，Ｓｉｎ）に補正される例を示す。ＬＢ２に示すように、変換彩度値ＬＵＴ［Ｓｉｎ］を用いて補正値ΔＨを求めることで、彩度値Ｓｉｎに対して任意の依存性を持つ補正値ΔＨを実現できる。このように、本実施形態によれば彩度値Ｓｉｎに応じた所望の補正を行うことができる。
【００９２】
なお、任意の変換則による変換処理は、例えば図８で後述するルックアップテーブル２４０を用いて実現することができる。
【００９３】
ここで下式（１２）に示す補正値ΔＨの演算手法の第９の具体例のように、変換部６０は、第３の具体例と同様にオフセットＤを加算して補正値ΔＨを求めることもできる。また、下式（１３），（１４）に示す補正値ΔＨの演算手法の第１０の具体例のように、変換部６０は、第３の具体例と同様に色相領域のうちの低色相側領域と高色相側領域に対応する補正値を求めることもでき、第４の具体例と同様に複数の色相領域に対応する補正値を求めることもできる。
【００９４】
【数１２】
2010021990.tif 000014
【００９５】
【数１３】
2010021990.tif 000015
【００９６】
【数１４】
2010021990.tif 000016
【００９７】
これにより、複数の色相領域において彩度値Ｓｉｎに依存した補正を行うことができる。また、オフセットＤを調整することで、彩度値Ｓｉｎに依存した補正と色相領域全体で一様な補正を足し合わせることができる。
【００９８】
なお、例えば下式（１５）のように、上記第１〜第１０の具体例を補正値ΔＳにも適用できる。また、本実施形態は、補正値ΔＶを求めて明度値Ｖｉｎを補正することもできる。この場合も、例えば下式（１６）のように上記第１〜第１０の具体例を補正値ΔＶに適用できる。
【００９９】
【数１５】
2010021990.tif 000017
【０１００】
【数１６】
2010021990.tif 000018
【０１０１】
２．カスケード接続
図６に本実施形態の画像処理装置の変形例を示す。この変形例は、図１等で説明した画像補正をカスケードに行うものであり、第１の補正部７０、第２の補正部８０を含む。
【０１０２】
具体的には、カスケードの初段である補正部７０は、入力ＨＳＶ画像データ（Ｈｉｎ，Ｓｉｎ，Ｖｉｎ）を補正して第１の補正後ＨＳＶ画像データ（Ｈ１，Ｓ１，Ｖ１）を出力する。次に、カスケードの次段である補正部８０が、初段から入力されるＨＳＶ画像データ（Ｈ１，Ｓ１，Ｖ１）を補正して第２の補正後ＨＳＶ画像データ（Ｈ２，Ｓ２，Ｖ２）を出力する。
【０１０３】
より具体的には、第１の補正部７０は、第１の色相領域判定部７２、第１の変換部７４を含む。色相領域判定部７２は、色相値Ｈｉｎ（入力色相値）が色相領域に対応する色相値であるかを判定し、判定信号ＪＳ１（第１の判定信号）を出力する。変換部７４は、画像データ（Ｈｉｎ，Ｓｉｎ，Ｖｉｎ）のうち少なくとも１つの値を補正する。
【０１０４】
例えば、少なくとも１つの値として色相値Ｈｉｎを補正する。この場合、変換部７４は判定信号ＪＳ１を受けて補正値ΔＨ１（第１の補正値）を求める。そして、補正値ΔＨ１によって色相値Ｈｉｎを補正し、色相値Ｈ１（＝Ｈｉｎ＋ΔＨ１。第１の補正後色相値）を出力する。但し補正部７０は、Ｓｉｎ（入力彩度値）を補正してもよく、Ｖｉｎ（入力明度値）を補正してもよい。また、（Ｈｉｎ，Ｓｉｎ，Ｖｉｎ）のうち一部を補正してもよく、全てを補正してもよい。
【０１０５】
また、第２の補正部８０は、第２の色相領域判定部８２、第２の変換部８４を含む。色相領域判定部８２は、色相値Ｈ１（第１の補正後色相値）が色相領域に対応する色相値であるかを判定し、判定信号ＪＳ２（第２の判定信号）を出力する。変換部８４は、画像データ（Ｈ１，Ｓ１，Ｖ１）のうち少なくとも１つの値を補正する。例えば、変換部８４は、変換部７４と同様に少なくとも１つの値として色相値Ｈ１を補正する。
【０１０６】
なお、補正部７０，８０の構成及び動作は、図１〜図５及び上式（１）〜（１６）で説明した構成例と同様の構成及び動作であるので、説明を省略する。
【０１０７】
ここで、本実施形態は、第１の色空間変換部２０、第２の色空間変換部３０を含むこともできる。色空間変換部２０及び３０は、ＲＧＢ形式の色空間とＨＳＶ形式の色空間の変換を行う。すなわち、前段にある色空間変換部２０は、本実施形態に入力された入力ＲＧＢ画像データ（Ｒｉｎ，Ｇｉｎ，Ｂｉｎ）を対応するＨＳＶ画像データ（Ｈｉｎ，Ｓｉｎ，Ｖｉｎ）に変換する。後段にある色空間変換部３０は、補正された画像データであるＨＳＶ画像データ（Ｈ２，Ｓ２，Ｖ２）を対応する出力ＲＧＢ画像データ（Ｒｏｕｔ，Ｇｏｕｔ，Ｂｏｕｔ）に変換する。
【０１０８】
ところで、図１等で説明した構成例では、複数の色相領域に対して自由度の高い画像補正を行うことができる。しかしながら、重複した色相領域に対して補正を行うことが困難な場合があるという課題もあった。
【０１０９】
この点、本実施形態の変形例によれば、補正部をカスケード接続させたことで重複した色相領域に対して容易に補正することができる。この点について図７（Ａ）、図７（Ｂ）を用いて説明する。
【０１１０】
比較のため、図７（Ａ）を用いて１段の補正部で補正する場合について説明する。補正部が１段の場合、色相領域を重複させて設定することができない。そのため、重複する色相領域ＣＲ１，ＣＲ２を領域Ｉ〜IIIに分割して設定する必要がある。そして、領域II，IIIに対しては補正値ΔＨ１を設定し、領域Ｉに対しては補正値ΔＨ１とΔＨ２を合成した補正値を設定する必要がある。このように、補正部１段の場合には設定すべき色相領域の数が増え、補正値も複雑なものとなってしまう。
【０１１１】
この点、図６の変形例によれば重複した色相領域を従属的に補正できる。すなわち、図７（Ａ）に示すように、色相領域ＣＲ１を補正値ΔＨ１で補正した後、重複する色相領域ＣＲ２を補正値ΔＨ２で補正できる。このように、補正部が１段である場合と比較して、複雑な補正値の設定を行う必要がない。例えば、広い範囲を補正した後にその中の一部を微調整したい場合などに直感的に補正値を設定することができる。
【０１１２】
さらに、図６の変形例によれば補正部７０と補正部８０が画像データのうちの異なる成分を補正することもできる。例えば、図７（Ｂ）に示すように、色相領域ＣＲ１を補正値ΔＨ１で補正し、色相領域ＣＲ２を補正値ΔＳ２で補正することもできる。
【０１１３】
なお上述の通り、補正部７０と補正部８０については、図１に示す構成例と同様であるとして説明を省略した。具体的には、以下の用語の読み替えにより、図１等でした構成例の説明を補正部７０と補正部８０に適用できる。
【０１１４】
補正部７０と図１の構成例は次のように対応する。補正部７０の色相領域判定部７２と変換部７４はそれぞれ図１の色相領域判定部５０と変換部６０に対応する。補正部７０の第１の判定信号ＪＳ１と第１の補正値ΔＨ１は図１の構成例の判定信号ＪＳと補正値ΔＨに対応する。補正部７０に入力される入力ＨＳＶ画像データ（Ｈｉｎ，Ｓｉｎ，Ｖｉｎ）は、図１の構成例に入力されるＨＳＶ画像データ（Ｈｉｎ，Ｓｉｎ，Ｖｉｎ）に対応する。補正部７０が出力する第１の補正後ＨＳＶ画像データ（Ｈ１，Ｓ１，Ｖ１）は図１の構成例が出力するＨＳＶ画像データ（Ｈｏｕｔ，Ｓｏｕｔ，Ｖｏｕｔ）に対応する。
【０１１５】
また、補正部８０と図１の構成例は次のように対応する。補正部８０の色相領域判定部８２と変換部８４はそれぞれ図１の色相領域判定部５０と変換部６０に対応する。補正部８０の第２の判定信号ＪＳ２と第２の補正値ΔＨ２は図１の構成例の判定信号ＪＳと補正値ΔＨに対応する。補正部８０に入力される第１の補正後ＨＳＶ画像データ（Ｈ１，Ｓ１，Ｖ１）は、図１の構成例に入力されるＨＳＶ画像データ（Ｈｉｎ，Ｓｉｎ，Ｖｉｎ）に対応する。補正部８０が出力する第２の補正後ＨＳＶ画像データ（Ｈ２，Ｓ２，Ｖ２）は図１の構成例が出力するＨＳＶ画像データ（Ｈｏｕｔ，Ｓｏｕｔ，Ｖｏｕｔ）に対応する。
【０１１６】
３．詳細な構成例
図８に、本実施形態の画像処理装置の詳細な構成例を示す。図８に示すのは、ｋ個の色相領域（ｋは自然数）において上式（１３），（１４）（第１０の具体例）の補正値を用いて色相値Ｈｉｎ又は彩度値Ｓｉｎを補正する場合の構成例である。この構成例においては、レジスタ値ＭＯＤが設定されることで色相値Ｈｉｎを補正する色相補正モード又は彩度値Ｓｉｎを補正する彩度補正モードが選択される。なお、図６で説明した補正部７０と補正部８０についても図８に示す詳細な構成例を適用できる。また、以下では、図１等で説明した色相領域判定部等の各構成要素には同じ符号を付して説明を省略する。
【０１１７】
図８に示す詳細な構成例は、係数レジスタ３００、色相領域判定部５０、係数選択部２１０、補正差分値演算部２２０、ＬＵＴ２４０、乗算係数演算部２３０、乗算部２５０、加算部２６０、マルチプレクサ２７２，２７４，２７６、オフセット加算部２８２，２８４，２８６を含む。
【０１１８】
係数レジスタ３００には、ｋ個の色相領域それぞれに対応する補正基準ターゲット値、低色相側領域幅、高色相側領域幅、補正基準差分値、補正係数、彩度係数、オフセット（ＨＴ１〜ＨＴｋ等）がレジスタ値として設定される。また、係数レジスタ３００にはモードＭＯＤがレジスタ値として設定される。例えば、図９に示すホストコンピュータ１０６から係数レジスタ３００にレジスタ値が設定される。
【０１１９】
係数選択部２１０は、色相領域判定部５０からの判定信号ＪＳを受けて係数レジスタ３００からレジスタ値を読み出す。具体的には、係数レジスタ３００から入力されるレジスタ値のうち、色相値Ｈｉｎが属する色相領域に対応するレジスタ値を選択して、補正基準ターゲット値ＨＴ、補正基準差分値Ａ、係数Ｂ、係数Ｃ、オフセットＨＯＦ，ＳＯＦ，ＶＯＦとして出力する。例えば、色相値Ｈｉｎが色相領域ｎ（ｎはｋ以下の自然数）の高色相側領域にある場合には、係数選択部２１０はレジスタ値ＡＬ１〜ＡＬｋ，ＡＨ１〜ＡＨｋからＡＨｎを選択して補正基準差分値Ａとして出力する。
【０１２０】
補正差分値演算部２２０は、色相値Ｈｉｎ及び、係数選択部２１０からの補正基準ターゲット値ＨＴと補正基準差分値Ａを受けて、差分値Ｄ２（＝｜Ａ−｜Ｈｉｎ−ＨＴ｜｜）を演算して出力する。
【０１２１】
ＬＵＴ２４０（彩度変換処理部）は、彩度値Ｓｉｎをルックアップテーブルにより変換彩度値ＬＵＴ［Ｓｉｎ］に変換処理して出力する。ＬＵＴ［Ｓｉｎ］は、ルックアップテーブルにより彩度値Ｓｉｎから一意に決まる値である。なお、ＬＵＴ２４０は、ルックアップテーブルでなく他の演算（例えば乗算器、加算器による演算）により変換処理を行ってもよい。
【０１２２】
乗算係数演算部２３０は、係数Ｂ，Ｃと変換彩度値ＬＵＴ［Ｓｉｎ］を受けて乗算係数ＭＣを出力する。乗算係数演算部２３０は、係数Ｂと変換彩度値ＬＵＴ［Ｓｉｎ］を乗算する乗算処理を行い、乗算処理の結果と係数Ｃを加算する加算処理を行って乗算係数ＭＣ（＝Ｂ＊ＬＵＴ［Ｓｉｎ］＋Ｃ）を演算する。なお、ＢとＬＵＴ［Ｓｉｎ］の乗算処理及びＣの加算処理は他の値の乗算や加算を含んでもよい。
【０１２３】
乗算部２５０は、補正差分値演算部２２０からの差分値Ｄ２と乗算係数演算部２３０からの乗算係数ＭＣの乗算処理を行い、補正値ΔＨ（又はΔＳ。但しオフセットを除く）を出力する。なお、Ｄ２とＭＣの乗算処理は他の値の乗算や加算を含んでもよい。
【０１２４】
マルチプレクサ２７２には、色相値Ｈｉｎ、彩度値Ｓｉｎが入力される。そして、マルチプレクサ２７２は、レジスタ値ＭＯＤを受けて色相補正モードの場合には色相値Ｈｉｎを出力し、彩度補正モードの場合には彩度値Ｓｉｎを出力する。
【０１２５】
加算器２６０は、マルチプレクサ２７２の出力と乗算器２５０からの補正値の加算処理を行い、色相値（Ｈｉｎ＋ΔＨ）又は彩度値（Ｓｉｎ＋ΔＳ）を出力する。
【０１２６】
マルチプレクサ２７４には、色相値Ｈｉｎ、色相値（Ｈｉｎ＋ΔＨ）、レジスタ値ＭＯＤが入力され、マルチプレクサ２７６には、彩度値Ｓｉｎ、彩度値（Ｓｉｎ＋ΔＳ）、レジスタ値ＭＯＤが入力される。そして、色相補正モードの場合には、マルチプレクサ２７４が色相値（Ｈｉｎ＋ΔＨ）を出力し、マルチプレクサ２７６が彩度値Ｓｉｎを出力する。また、彩度補正モードの場合には、マルチプレクサ２７４が色相値Ｈｉｎを出力し、マルチプレクサ２７６が彩度値（Ｓｉｎ＋ΔＳ）を出力する。
【０１２７】
オフセット加算部２８２は、明度値Ｖｉｎと係数選択部２１０からのオフセットＶＯＦを加算し、明度値Ｖｏｕｔを出力する。また、オフセット加算部２８４は、マルチプレクサ２７４の出力と係数選択部２１０からのオフセットＨＯＦを加算して色相値Ｈｏｕｔを出力する。オフセット加算部２８６は、マルチプレクサ２７６の出力と係数選択部２１０からのオフセットＳＯＦを加算して彩度値Ｓｏｕｔを出力する。
【０１２８】
なお、本発明は図８の構成例に限定されず、変形実施が可能である。例えば、本発明は、色相値Ｈｉｎや彩度値Ｓｉｎだけでなく明度値Ｖｉｎを差分値Ｄ２を用いた補正値で補正することもできる。また、本発明は、上記第１０の具体例だけでなく上記他の具体例で説明した補正値を用いて補正を行うこともできる。
【０１２９】
４．携帯電話端末
図９に携帯電話端末（電子機器）の構成例を示す。図９では、携帯電話端末１００（電子機器）に画像表示制御装置１０８（集積回路装置）が搭載されている。この携帯電話端末１００は、アンテナＡＮと、通信／画像処理部１０２と、ＣＣＤカメラ１０４と、ホストコンピュータ１０６と、画像表示制御装置１０８と、ドライバ１１０（パネルドライバ１１２とバックライトドライバ１１４を含む）と、表示パネル（例えば液晶パネル（ＬＣＤ））１１６と、バックライト（ＬＥＤ）１１８を含む。
【０１３０】
通信／画像処理部１０２は、アンテナＡＮを介して画像データを受信する。ホストコンピュータ１０６は、通信／画像処理部１０２が受信した画像データと制御信号を画像表示制御装置１０８に出力する。ＣＣＤカメラ１０４は、撮影した画像データを画像表示制御装置１０８に出力する。
【０１３１】
画像表示制御装置１０８は、本発明の画像処理装置を含み、ホストコンピュータ１０６やＣＣＤカメラ１０４から入力された画像データに対して図１等で説明した画像処理（画像補正）を行う。そして、画像表示制御装置１０８は、画像処理された画像データに基づいてドライバ１１０に制御信号を出力する。ここで、画像表示制御装置１０８は、表示画像に応じて適応的にバックライト減光を行う調光部を含むこともできる。また、表示画像及びバックライト減光に応じて適応的に輝度や彩度の補正を行う輝度彩度補正部を含むこともできる。この場合、画像表示制御装置１０８は、本発明の画像処理及び輝度彩度補正部の画像処理が行われた後の画像データをパネルドライバ１１２に出力し、調光部が出力するバックライト減光量をバックライトドライバ１１４に出力する。
【０１３２】
そして、ドライバ１１０は、表示パネル１１６及びバックライト１１８を駆動する。具体的には、パネルドライバ１１２は画像表示制御装置１０８からの画像データを受けて表示パネル１１６を駆動する。また、バックライトドライバ１１４は、画像表示制御装置１０８からのバックライト減光量を受けてバックライト１１８を駆動する。
【０１３３】
なお、画像表示制御装置１０８は、ドライバ１１０とは別個の集積回路装置であってもよく、ドライバ１１０に搭載されてもよい。また、画像表示制御装置１０８は、ドライバ１１０のコントローラに搭載されてもよく、駆動制御装置（ドライバとコントローラが一体化されたもの）に搭載されてもよい。
【０１３４】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義又は同義な異なる用語（第１の差分値、第２の差分値、補正係数、彩度係数、彩度変換処理部、変換彩度値等）と共に記載された用語（差分値Ｄ１、差分値Ｄ２、係数Ｃ、係数Ｂ、ルックアップテーブル、ＬＵＴ［Ｓｉｎ］等）は、明細書又は図面のいかなる箇所においても、その異なる用語に置き換えることができる。また色相領域判定部、変換部、第１，第２の補正部、第１，第２の色空間変換部、係数レジスタ、係数選択部、補正差分値演算部、彩度変換処理部、乗算係数演算部、集積回路装置、電子機器等の構成、動作も本実施形態で説明したものに限定に限定されず、種々の変形実施が可能である。
【符号の説明】
【０１３５】
２０  第１の色空間変換部、３０  第２の色空間変換部、５０  色相領域判定部、
６０  変換部、７０  第１の補正部、７２  第１の色相領域判定部、
７４  第１の変換部、８０  第２の補正部、８２  第２の色相領域判定部、
８４  第２の変換部、１００  電子機器、１０２  通信／画像処理部、
１０４  ＣＣＤカメラ、１０６  ホストコンピュータ、１０８  集積回路装置、
１１０  ドライバ、１１２  パネルドライバ、１１４  バックライトドライバ、
１１６  表示パネル、１１８  バックライト、２１０  係数選択部、
２２０  補正差分値演算部、２３０  乗算係数演算部、２４０  彩度変換処理部、
２５０  乗算部、２６０  加算部、２７２，２７４，２７６  マルチプレクサ、
２８２，２８４，２８６  オフセット加算部、３００  係数レジスタ、
Ｈｉｎ  色相値、Ｓｉｎ  彩度値、Ｖｉｎ  明度値、ＣＲ  色相領域、
ΔＨ，ΔＳ  補正値、ＨＴ  補正基準ターゲット値、Ａ  補正基準差分値、
Ｃ  補正係数、Ｂ  彩度係数、ＨＯＦ，ＳＯＦ，ＶＯＦ  オフセット、
Ｒｉｎ，Ｇｉｎ，Ｂｉｎ  入力ＲＧＢ画像データ、
Ｒｏｕｔ，Ｇｏｕｔ，Ｂｏｕｔ  出力ＲＧＢ画像データ、
Ｈ１，Ｓ１，Ｖ１  第１の補正後ＨＳＶ画像データ、
Ｈ２，Ｓ２，Ｖ２  第２の補正後ＨＳＶ画像データ
【図１】
2010021990.tif 000019
【図２】
2010021990.tif 000020
【図３】
2010021990.tif 000021
【図４】
2010021990.tif 000022
【図５】
2010021990.tif 000023
【図６】
2010021990.tif 000024
【図７】
2010021990.tif 000025
【図８】
2010021990.tif 000026
【図９】
2010021990.tif 000027